(57)【特許請求の範囲】
【請求項１】
レーザ光源を有するピックアップと、
前記レーザ光源から出射されたレーザ光を受光し、受光量を検出する受光部と、
前記受光量に基づいて、前記レーザ光のパワーを制御するパワー制御手段と、
実際の情報記録に先立って、校正用光波形を用いて前記レーザ光の試し出射を行う試し出射手段と、
前記試し出射の際に、記録速度毎に、前記レーザ光の出射デューティを前記レーザ光源の定格出力値を超えない範囲内に制御するデューティ制御手段と、を備え、
前記デューティ制御手段は、実記録に使用する実記録データのデータ長の組み合わせにより、かつ、前記レーザ光の出射デューティが、実記録データを記録するときの前記レーザ光の出射デューティである実質的記録パワーデューティを超えないように前記校正用光波形を生成することを特徴とする情報記録装置。
【請求項２】
前記デューティ制御手段は、前記出射デューティを小さく設定するときほど、短いデータ長の実記録データを含む組み合わせを使用することを特徴とする請求項１に記載の情報記録装置。
【請求項３】
前記パワー制御手段は、前記受光量のレベルをホールドするホールド回路を有し、
前記デューティ制御手段は、前記ホールド回路が前記レベルをホールド可能なデータ長の実記録データを含む組み合わせを使用することを特徴とする請求項２に記載の情報記録装置。
【請求項４】
レーザ光源を有するピックアップと、前記レーザ光源から出射されたレーザ光を受光し、受光量を検出する受光部と、を備える情報記録装置において実行される情報記録方法であって、
前記受光量に基づいて、前記レーザ光のパワーを制御するパワー制御工程と、
実際の情報記録に先立って、校正用光波形を用いて前記レーザ光の試し出射を行う試し出射工程と、
前記試し出射の際に、記録速度毎に、前記レーザ光の出射デューティを前記レーザ光源の定格出力値を超えない範囲内に制御するデューティ制御工程と、を有し、
前記デューティ制御工程は、実記録に使用する実記録データのデータ長の組み合わせにより、かつ、前記レーザ光の出射デューティが、実記録データを記録するときの前記レーザ光の出射デューティである実質的記録パワーデューティを超えないように前記校正用光波形を生成することを特徴とする情報記録方法。
【請求項５】
レーザ光源を有するピックアップと、前記レーザ光源から出射されたレーザ光を受光し、受光量を検出する受光部と、コンピュータとを備える情報記録装置において実行される情報記録プログラムであって、前記コンピュータを、
前記受光量に基づいて、前記レーザ光のパワーを制御するパワー制御手段、
実際の情報記録に先立って、校正用光波形を用いて前記レーザ光の試し出射を行う試し出射手段、
前記試し出射時、記録速度毎に、前記レーザ光の出射デューティを前記レーザ光源の定格出力値を超えない範囲内に制御するデューティ制御手段として機能させ、
前記デューティ制御手段は、実記録に使用する実記録データのデータ長の組み合わせにより、かつ、前記レーザ光の出射デューティが、実記録データを記録するときの前記レーザ光の出射デューティである実質的記録パワーデューティを超えないように前記校正用光波形を生成することを特徴とする情報記録プログラム。
【発明の詳細な説明】
【０００１】
【技術分野】
本発明は、光ディスクなどの情報記録媒体に情報を記録する技術に関する。
【０００２】
【背景技術】
光学的に情報を記録可能な情報記録媒体として例えばＤＶＤ−Ｒ／ＲＷなどが知られており、それら情報記録媒体に情報を記録するための情報記録装置が存在する。そのような情報記録装置はドライブ装置とも呼ばれる。情報記録の際には、ドライブ装置は情報記録媒体に対して適切な記録パワーでレーザ光などの記録光を照射して情報記録媒体の記録面上に記録情報に対応するピットなどを形成する。従って、正確な情報記録のためには、記録光が適切な記録パワーに維持されていることが必要となる。
【０００３】
ＣＤ−Ｒ／ＲＷ、ＤＶＤ−Ｒ／ＲＷ、ＤＶＤ＋Ｒ／ＲＷなどのディスクには、その記録媒体に正しく記録を行うための最適記録パワー値や記録パワー比などの情報が予め記録されている。なお、記録パワー比とは、情報を記録する際のレーザ駆動波形（「ストラテジ」とも呼ぶ。）中の複数のレベルの比である。よって、ドライブ装置は、情報記録媒体への実際の情報記録の前に、レーザ光源から出射されるレーザ光のパワーのキャリブレーション（校正）を行う。この際、従来の手法では、キャリブレーション時にレーザ光源から出射するレーザ波形の出射デューティの管理は特に行われていなかった。
【０００４】
しかし、高速記録時にはレーザ光源としてのレーザダイオードから出射するレーザ光のパワーを増大させる必要が生じるため、キャリブレーションの際に使用するレーザ出射波形によっては、レーザダイオードの定格出力値を超えてしまう恐れが生じる。
【０００５】
【発明の開示】
【発明が解決しようとする課題】
本発明が解決しようとする課題には、上記のようなものが一例として挙げられる。本発明は、記録速度が高速化し、高い記録パワーが要求される場合でも、レーザダイオードの定格出力値を超えることなく記録パワーの正確なキャリブレーションを行うことが可能な情報記録装置及び記録方法並びに情報記録プログラムを提供することを課題とする。
【０００６】
本発明の好適な実施形態では、情報記録装置は、レーザ光源を有するピックアップと、前記レーザ光源から出射されたレーザ光を受光し、受光量を検出する受光部と、前記受光量に基づいて、前記レーザ光のパワーを制御するパワー制御手段と、実際の情報記録に先立って、校正用光波形を用いて前記レーザ光の試し出射を行う試し出射手段と、前記試し出射の際に、記録速度毎に、前記レーザ光の出射デューティを前記レーザ光源の定格出力値を超えない範囲内に制御するデューティ制御手段と、を備え、前記デューティ制御手段は、実記録に使用する実記録データのデータ長の組み合わせにより、かつ、前記レーザ光の出射デューティが、実記録データを記録するときの前記レーザ光の出射デューティである実質的記録パワーデューティを超えないように前記校正用光波形を生成する。
【０００７】
上記の情報記録装置は、例えばＤＶＤ−Ｒ／ＲＷ、ＤＶＤ＋Ｒ／ＲＷなどの情報記録媒体に対し、レーザ光を照射して情報を記録する。ピックアップはレーザ光源として例えばレーザダイオード（ＬＤ）などのレーザ素子を備える。また、例えばフロントモニタダイオード（ＦＭＤ）など、レーザ光源から出射されたレーザ光を受光して受光量を検出する受光部が設けられる。受光部により検出されたレーザ光のパワーに基づいて、レーザ光源から出射されるレーザ光のパワーが制御される。また、実際の情報記録に先立って、適正な記録パワーを決定するために試し出射が実行されるが、試し出射の際には、レーザ光の出射デューティがレーザ光源の定格出力値を超えない範囲内に制御される。
【０００８】
ここで「レーザ光の出射デューティ」とは、レーザ光を出射している期間と出射していない期間との割合を指し、レーザ光の出射波形におけるオン期間とオフ期間の割合に等しい。よって、特に高速記録時などの試し出射の際にレーザ光パワーを高くした場合でも、レーザ光源を構成するレーザダイオードの定格出力値の範囲内で試し出射を行うことができる。
【０００９】
具体的に、前記デューティ制御手段は、前記レーザ光の出射デューティを、実記録データを記録するときの前記レーザ光の出射デューティである実質的記録パワーデューティを超えない範囲内に制御する。この態様では、実質的記録パワーデューティの範囲内で試し出射が行われる。「実質的記録パワーデューティ」とは、情報記録媒体に実記録データを記録するときのレーザ光の出射デューティである。よって、より安全にレーザ素子を駆動することができる。
【００１０】
上記の情報記録装置の一態様では、前記デューティ制御手段は、前記レーザ光の出射デューティを、記録速度毎に制御する。
【００１１】
上記の情報記録装置の他の一態様では、前記デューティ制御手段は、前記レーザ光の出射パターンを制御することにより、前記レーザ光の出射デューティを制御する。この場合の好適な例では、前記デューティ制御手段は、実記録データのデータ長の組み合わせにより前記出射パターンを作成することが好ましい。実記録データのデータ長とは例えばＤＶＤ−Ｒなどにおける３Ｔ〜１１Ｔ及び１４Ｔなどを指す。実記録データのデータ長の組み合わせにより出射パターンを作成し、それに基づいて試し出射を行うことにより、実記録時との差異を低減することができる。
【００１２】
上記の例において、前記デューティ制御手段は、前記出射デューティを小さく設定するときほど、短いデータ長を含む組み合わせを使用することが好ましい。短いデータ長を使用することにより、レーザ光の出射デューティを小さくすることが可能となる。
【００１３】
また、上記の情報記録装置の好適な例では、前記パワー制御手段は、前記受光量のレベルをホールドするホールド回路を有し、前記デューティ制御手段は、前記ホールド回路が前記レベルをホールド可能なデータ長を含む組み合わせを使用する。短いデータ長を使用することによりレーザ光の出射デューティを小さくすることができるが、データ長が短すぎると、そのときのレーザ光パワーをホールド回路により検出することができない。よって、ホールド回路がレベルをホールドすることができるデータ長を使用することが必要となる。
【００１４】
本発明の他の実施形態では、レーザ光源を有するピックアップと、前記レーザ光源から出射されたレーザ光を受光し、受光量を検出する受光部と、を備える情報記録装置において実行される情報記録方法は、前記受光量に基づいて、前記レーザ光のパワーを制御するパワー制御工程と、実際の情報記録に先立って、校正用光波形を用いて前記レーザ光の試し出射を行う試し出射工程と、前記試し出射の際に、記録速度毎に、前記レーザ光の出射デューティを前記レーザ光源の定格出力値を超えない範囲内に制御するデューティ制御工程と、を有し、前記デューティ制御工程は、実記録に使用する実記録データのデータ長の組み合わせにより、かつ、前記レーザ光の出射デューティが、実記録データを記録するときの前記レーザ光の出射デューティである実質的記録パワーデューティを超えないように前記校正用光波形を生成する。
【００１５】
この方法によっても、試し出射の際には、レーザ光の出射デューティがレーザ光源の定格出力値を超えない範囲内に制御されるので、特に高速記録時などの試し出射などの場合でも、安全かつ安定的にレーザ光のパワーの構成を行うことができる。
【００１６】
本発明の他の実施形態では、レーザ光源を有するピックアップと、前記レーザ光源から出射されたレーザ光を受光し、受光量を検出する受光部と、コンピュータとを備える情報記録装置において実行される情報記録プログラムは、前記コンピュータを、前記受光量に基づいて、前記レーザ光のパワーを制御するパワー制御手段、実際の情報記録に先立って、校正用光波形を用いて前記レーザ光の試し出射を行う試し出射手段、前記試し出射時、記録速度毎に、前記レーザ光の出射デューティを前記レーザ光源の定格出力値を超えない範囲内に制御するデューティ制御手段として機能させ、前記デューティ制御手段は、実記録に使用する実記録データのデータ長の組み合わせにより、かつ、前記レーザ光の出射デューティが、実記録データを記録するときの前記レーザ光の出射デューティである実質的記録パワーデューティを超えないように前記校正用光波形を生成する。
【００１７】
この情報記録プログラムを、コンピュータを備える情報記録装置上で実行することにより、前述の情報記録装置を実現することができる。
【００１８】
【発明を実施するための最良の形態】
以下、本発明の好適な実施例について説明する。
【００１９】
［概略構成］
図１に本発明の実施形態に係る情報記録装置の主要な構成を機能ブロックで示す。図１において、本実施形態の情報記録再生装置１は、光ディスクなどの情報記録媒体に対してレーザ光を照射するためのピックアップ１０と、ピックアップ１０から出射されたレーザ光を受光する受光部２０と、受光部２０が受光したレーザ光のパワーを検出し、最適なパワーとなるようにピックアップ１０から出射されるレーザのパワーを調整する制御部３０とを備える。
【００２０】
上記のように構成された情報記録装置は、例えばＤＶＤ−Ｒ／ＲＷ、ＤＶＤ＋Ｒ／ＲＷ、ＣＤ−Ｒ／ＲＷなどの情報記録媒体に対し、ピックアップ１０からレーザ光を照射して情報を記録する。また、レーザ光のパワー校正（以下、「キャリブレーション」と呼ぶ。）の際には、ピックアップ１０から出射されたレーザ光は受光部２０により受光される。制御部３０は、受光されたレーザ光のレベルを検出し、その検出レベルが所定のレベルとなるようにレーザ光のパワーを調整する。
【００２１】
［情報記録装置の構成］
図２に本発明に係る情報記録装置の構成を示す。図２において、情報記録装置１は、例えばＣＤ−Ｒ／ＲＷ、ＤＶＤ−Ｒ／ＲＷ、ＤＶＤ＋Ｒ／ＲＷなどの光ディスク２に対して情報を記録する装置であり、スピンドルモータ３と、ピックアップ１０と、サーボ制御部６と、パワー制御部３１と、システム制御部３２と、記憶部３４とを備える。
【００２２】
スピンドルモータ３は、サーボ制御部６から供給されるサーボ制御信号１８に基づいて、光ディスク２を所定の速度で回転させる。ピックアップ１０は、記録光の光源としてのＬＤ（Laser Diode）１３と、ＬＤ１３を駆動するＬＤドライバ１１と、受光部として機能するフロントモニタダイオード（ＦＭＤ）２１と、図示しない光学系とを備える。ＬＤドライバ１１は、パワー制御部３１から供給されるＬＤ制御信号１７に基づいてＬＤ１３に駆動電流を通電してＬＤ１３を発光させ、光学系を通じて情報の記録や消去のためのレーザ光Ｌを出射させる。
【００２３】
また、ピックアップ１０は、図示しない光検出器などにより、光ディスク２で反射されたレーザ光を受光し、その光量に対応する電気信号である光検出信号１５を生成してサーボ制御部６へ出力する。
【００２４】
サーボ制御部６は、光検出信号１５に基づいて、トラッキングサーボ、フォーカスサーボ、スピンドルサーボなどを含む各種のサーボ制御を行う。具体的には、サーボ制御部６は、システム制御部３２からの制御信号１４によって制御され、光検出信号１５に基づいて各種のサーボエラーを検出し、サーボ制御信号１８を生成してピックアップ１０及びスピンドルモータ３に供給し、各種サーボ制御を実行する。
【００２５】
ＦＭＤ２１は、ＬＤ１３から出射されたレーザ光を受光し、その光量に対応するレーザパワー検出信号１６を生成してパワー制御部３１へ供給する。パワー制御部３１は、例えばサンプルホールド回路、ピークホールド回路、又は、ボトムホールド回路などを含んで構成され、レーザパワー検出信号１６から所定のタイミングにおけるレーザ光パワーを検出して検出レーザパワー値１９としてシステム制御部３２へ供給する。また、パワー制御部３１は、システム制御部３２の制御下で、レーザ光パワーが所望の値となるようにＬＤドライバ１１を制御する。
【００２６】
記憶部３４は、不揮発性の記憶素子などにより構成され、生産時の調整データや動作時の状態などの情報を記憶しておくとともに、必要に応じてその情報をシステム制御部３２へ供給する。
【００２７】
システム制御部３２は、マイクロコンピュータなどにより構成され、光ディスク２上に情報を最適に記録するために、必要に応じて記憶部３４から調整データなどを読み出し、或いは書き込む。また、システム制御部３２は、サーボ制御部６、パワー制御部３１及びその他の図示しない制御部などを制御し、情報記録装置１の動作を制御する。
【００２８】
［レーザ光波形］
光ディスクに情報を記録する際には、記録速度と、光ディスクに応じたレーザ光の出射タイミングと、レーザ光の記録パワーとを的確に制御することが要求される。図３（ａ）に記録時におけるレーザ光の出射パターンの一例として、トップパルス２０１と、中間パルス部２０２と、ラストパルス２０３とにより構成される略凹型のレーザ光波形の例を示す。本例において、トップパルス２０１及びラストパルス２０３の記録パワーのレベルをＰoとし、中間パルス部２０２の記録パワーのレベルをＰmとしたとき、それらの比Ｐo／Ｐmを記録パワー比又はＰo／Ｐm比と呼ぶ。
【００２９】
Ｐo／Ｐm比の最適値（「最適記録パワー比（Ｐr）」と呼ぶ。）は、例えば工場出荷時において各光ディスクに記録されている。よって、本実施例では、パワー制御部３１は、実際にＬＤ１３から出射されたレーザ光のレーザ光波形から得られた記録パワー比Ｐo／Ｐmがこの最適記録パワー比：Ｐr＝Ｐo／Ｐmの値と一致するようにＬＤ１３から出射されるレーザ光のパワーを制御する。なお、図３（ａ）に示すレーザ光波形は情報記録に使用される記録用のレーザ光波形の単なる一例に過ぎず、本発明はこれ以外の各種の記録用のレーザ光波形を使用する光ディスクに適用可能であることはいうまでもない。
【００３０】
また、記録波形の歪み率は、図３（ｂ）に示すように定義される。図３（ｂ）は記録信号の再生波形例を示しており、再生波形の振幅Ａに対する歪み量Ｂの割合を後述する図４（ｃ）における歪み率と定義している。
【００３１】
次に、記録パワー比の重要性について説明する。まず、以下に検討するパラメータについて簡単に説明しておく。
【００３２】
「ジッタ（jitter）」は、２値化した再生信号から生成したＰＬＬクロックに対する、２値化した再生信号の立上りおよび立下りエッジのゆらぎ度合いを示す値である。ジッタの値が高いほど、再生信号の品質が悪く、低いほど再生信号の品質が良い。ＤＶＤ−Ｒ規格書によれば、ジッタ値：８．０％未満が要求されている。図４（ａ）に、記録パワー比（Ｐo／Ｐm比）とジッタの関係を示す。記録パワー比が最適値からずれるに従ってジッタが悪化することがわかる。
【００３３】
「アシンメトリ（Asymmetry）」は、最小記録マーク（３Ｔマーク）と最大記録マーク（１４Ｔマーク）との振幅中心のずれ度合いを示す値であり、ＤＶＤ−Ｒ規格書によれば、アシンメトリ：−０．０５〜０．１５が要求されている。
【００３４】
「変調度（Ｉ14H）」は、最大記録マーク（１４Ｔマーク）に対する再生信号のピーク値とゼロレベルとの差Ｉ14Hと、最大記録マークに対する再生信号の振幅Ｉ14の比（Ｉ14／Ｉ14H）を示す値であり、ＤＶＤ−Ｒ規格書によれば、変調度：０．６０以上（６０％）以上が要求されている。
【００３５】
図４（ｂ）に、記録パワー比とアシンメトリ及び変調度の関係を示す。図４（ｂ）からは、記録パワー比が変化してもアシンメトリの値はほぼ一定であるが、記録パワー比が小さいと記録信号の変調度が大きくなっていることがわかる。これはＲＯＰＣ（Running Optimum Power Control）に悪影響を与える可能性が生じるので好ましくない。また、記録パワー比が大きくなると変調度が小さくなり、Ｓ／Ｎが悪くなる。
【００３６】
また、図４（ｃ）に、記録パワー比と記録波形の歪み率との関係を示す。記録パワー比が最適値より大きくなると、歪み率が増大していくことがわかる。
【００３７】
［記録パワーのキャリブレーション］
上記のように、記録パワー比Ｐo／Ｐmが最適値からずれると、記録特性が悪化する。そこで、記録パルスの出射前に、記録パワー比Ｐo／Ｐmが最適値となるようにレーザ光パワーのキャリブレーションを行う。具体的には、ＬＤ１３から出射されるレーザ光パワーを変化させながら、ＦＭＤ２１からの出力値を検出する。ＦＭＤ２１の出力値は、ＬＤ１３から出射されるレーザ光パワーに比例するので、記録パワー比を最適値とするためには、記録パワーＰo及びＰmのときのＦＭＤ２１の出力値の比率が所望の値となるようにＬＤドライバ１１へ電流値を設定すればよい。
【００３８】
いま、パワー制御部３１がサンプルホールド回路を備えるとし、上記のキャリブレーションをサンプルホールド回路により実行する場合を考える。情報記録時に出射すべきレーザ光波形は図３（ａ）に示すものであるが、実際にはこのレーザ光波形におけるトップパルス２０１及びラストパルス２０３の時間幅は短いので、その期間におけるレベルＰoをサンプルホールド回路により検出することは困難である。そこで、レベルＰo及びＰmのそれぞれについて、図３（ａ）に示すものとは異なる矩形波を出射し、そのときのＦＭＤ２１の出力値を検出して、レーザ光パワーが所望の記録パワー比Ｐo／Ｐmとなるようにレーザ光パワーのキャリブレーションを行う。
【００３９】
キャリブレーションにおいて使用する矩形波（以下、「校正用光波形」と呼ぶ。）の一例を図６（ａ）に示す。図６（ａ）において、横軸は時間であり、縦軸はＦＭＤ２１から出力されるレーザパワー検出信号１６（図２参照）を示す。なお、縦軸に関しては、便宜上、波形の下側を高パワー側、上側を低パワー側として図示している。本実施例では、キャリブレーションにおいて使用する校正用光波形の時間間隔は、実際の情報（実記録データ）を記録しようとする速度でのＮＲＺ（Non-Return-to-Zero）信号が使用される。
【００４０】
具体的には、例えばＤＶＤでは、「Ｔ」を１チャネルクロックの時間間隔として、３Ｔ〜１１Ｔ及び１４Ｔの中から、上記の校正用光波形を構成する時間間隔が決定される。図６（ａ）の例では、高パワー側が記録情報のマークに対応し、「Ｍ」で示される。また、低パワー側が記録情報のスペースに対応し、「Ｓ」で示される。図６（ａ）に示す校正用光波形の例では、「１１ＴＭ−１４ＴＳ−３ＴＭ−１４ＴＳ」の組み合わせにより１周期を構成している。なお、「１１ＴＭ」は１１Ｔの長さのマークを指し、「１４ＴＳ」は１４Ｔの長さのスペースを指す。サンプルホールド回路は、この校正用光波形の高パワー期間である１１ＴＭの期間中に、タイミング７１におけるレベルを検出レーザパワー値１９（図２参照）として検出する。
【００４１】
ＬＤドライバ１１へ所定の電流値を設定してＬＤ１３からレーザ光を出射させ、そのときのＦＭＤ２１からのレーザパワー検出信号１６から、サンプルホールド回路により検出レーザパワー値１９を取得する。この作業を、異なる複数の電流値について実行すると、ＬＤドライバ１１への電流設定値と、ＬＤ１３からのレーザ光出力との関係（電流対パワー（Ｉ−Ｐ）特性）を得ることができる。
【００４２】
Ｉ−Ｐ特性の一例を図５に示す。図５に示すＩ−Ｐ特性６０は高出力パワー領域において直線性が失われている。即ち、Ｉ−Ｐ特性が直線的であれば高出力パワー領域での特性は破線６１のようになるが、実際のＩ−Ｐ特性６０は高出力パワー領域では光出力パワーが低下している。よって、高出力パワー領域における複数点でキャリブレーションを行い、そのときのＬＤドライバ１１への電流設定値とＦＭＤ出力値との関係、即ちＩ−Ｐ特性を保持しておく。そして、そうして得られたＩ−Ｐ特性に基づいてレーザ出射を行うことにより、記録パワー比Ｐo／Ｐmの比率を保ったまま出力パワーを変化させることが可能となる。
【００４３】
次に、上述の校正用光波形の出射デューティの制御について説明する。光ディスクへの記録速度が高速化すると、上述のようなキャリブレーションにおいて図６（ａ）に示す校正用光波形の高パワー側の時間間隔が短くなる。そのため、その期間のレベルをサンプルホールド回路により検出するためには、回路的制約から、必然的にＮＲＺ信号の長いもの、例えば１１Ｔ、１４Ｔなどのデータ長により校正用光波形を作成することが要求される。
【００４４】
ＬＤ１３の定格出力値を決定する際には、実際に使用される（この場合は情報記録の対象となる光ディスクが要求する）レーザ光波形（波高値、その出射デューティ及び時間間隔）が考慮される。よって、実際に情報を記録するときと同じレーザ光波形を出射していれば、目的の記録に必要なパワー範囲ではＬＤ１３の定格出力値を超えるようなことはない。
【００４５】
一般的に、レーザ素子の最大出力値は、そのパルス出射部分の幅とその出射デューティによって定義される。例えば、光ディスクの情報記録装置に使用されるＬＤ１３の定格出力値の一例は、
250mW＠30ns（Duty:37.5％）／215mW＠130ns（Duty:38.0％）
である。なお、「定格出力値」とは、所定のパルス幅及び出射デューティにおけるレーザの光パルス出力の定格値（単位は［ｍＷ」）をいう。
【００４６】
しかし、高速記録では、記録速度の増加に伴って情報記録のためのレーザ光パワーは多く必要となるので、キャリブレーションの際にＬＤ１３の定格出力値を超える可能性が生じる。例えば、校正用光波形を「６ＴＭ−６ＴＳ」の繰り返しにより構成し、レーザ光の出射デューティを５０％にした場合には、ＬＤ１３の定格出力値を超える恐れがある。
【００４７】
そこで、本発明では、図６（ａ）に示すように、レーザ光の出射デューティを考慮して校正用光波形を構成する出射パターンを作成する。具体的には、実記録に使用する実記録データの時間幅（ＮＲＺ信号時間幅）の組み合わせにより、レーザ光の出射デューティがＬＤ１３の定格出力値を超えないように校正用光波形を構成する。これにより、レーザ素子（ＬＤ１３）の定格出力値に適合した使用状態でキャリブレーションを行うことが可能となる。
【００４８】
具体的に、図６（ａ）の例では、校正用光波形は、「１１ＴＭ−１４ＴＳ−３ＴＭ−１４ＴＳ」の時間幅の組み合わせにより構成されている。この場合のレーザ光の出射デューティは、
｛（１１＋３）／（１１＋１４＋３＋１４）｝×１００＝３３．３［％］
となる。
【００４９】
また、レーザ光の出射デューティを実質的記録パワーデューティ以下とすることが好ましい。ここで、「実質的記録パワーデューティ」とは、実記録データを記録するときのレーザ光の出射デューティである。例えば、実記録データとして「３Ｔマーク」を記録する場合、実際のレーザダイオードは２Ｔの時間幅だけ発光している。また、実記録データとして「６Ｔマーク」を記録する場合、実際のレーザダイオードは４．５Ｔの時間幅だけ発光している。よって、レーザ光の出射デューティを、実質的記録パワーデューティ以下とすることにより、実データの記録の際に生じるレーザ光の出射デューティの範囲内で効果的に試し出射を行うことができる。
【００５０】
次に、レーザ光の出射デューティを低下させる手法について説明する。例えば、校正用光波形を図６（ｂ）に示すように「１１ＴＭ−１４ＴＳ−３ＴＭ−１４ＴＳ−３ＴＭ−１４ＴＳ」の組み合わせとして作成することにより、レーザ光の出射デューティを２８．８％とさらに低下させることができる。これにより、ＬＤ１３の定格出力値に対して設定された図６（ａ）の例（レーザ光の出射デューティ３３．３％）に対してマージンを確保することができる。
【００５１】
また、レーザ光の出射デューティを低下させる手法として一時的にレーザ光の出射を停止することもできる。例えば、図６（ｃ）に示すように、図６（ａ）と同様の校正用光波形を使用し、３ＴＭの期間（斜線７２で示す）にレーザ出射を停止することにより実質的に３１ＴＳ（＝１４ＴＳ＋３ＴＳ＋１４ＴＳ）の期間を作ることができる。この場合、校正用光波形は実質的には「１１ＴＭ−３１ＴＳ」の繰り返しとなり、レーザ光の出射デューティを２６．２％に低下させることができる。
【００５２】
このように、本発明では、レーザ光パワーのキャリブレーションに使用する校正用光波形を、実記録データの時間幅（例えば３Ｔ〜１１Ｔ及び１４Ｔ）の組み合わせにより所望の出射デューティとなるように作成するので、ＬＤ１３の定格出力値以内、さらに好ましくは実質的記録パワーデューティ以内でキャリブレーションを実行することができる。なお、実際には、同一の光ディスクであっても、記録速度毎に出射すべきレーザ光波形（波高値、その出射デューティ及び時間間隔）が異なってくるため、校正用光波形は記録速度毎に設計され、用意される。
【００５３】
［パワーキャリブレーション処理］
次に、パワーキャリブレーション処理の具体例について説明する。図７はパワーキャリブレーション処理のフローチャートの一例である。このパワーキャリブレーション処理は、ある所望のレーザ光パワー値に対応する、ＬＤドライバ１１への電流設定値を取得する処理である。この処理を複数のレーザ光パワー値に対して行うことにより、図５に示すようなＩ−Ｐ特性を得ることができ、それに基づいて適正なレーザ光パワー（即ち記録パワー比）で実際の記録を実行することができるようになる。なお、この処理は、図２に示すシステム制御部３２が所定のプログラムを実行し、パワー制御部３１などを制御することにより実現される。
【００５４】
いま、便宜上、所望のレーザ光パワー値を図３に示したＰoとする場合について説明する。まず、システム制御部３２は、記憶部３４から、情報記録装置１の生産調整時のＦＭＤ出力値とレーザ光パワーとの関係を読み出す（ステップＳ１０）。次に、パワー制御部３１は、ＬＤドライバ１１へ所定の電流値をセットする（ステップＳ１１）とともに、ＬＤ１３の定格出力値以内又は実質的記録パワーデューティ以内の出射デューティを有する校正用光波形をＬＤ１３から出射させる（ステップＳ１２）。これを「試し出射」と呼ぶ。なお、この校正用光波形は、光ディスクの種類や記録速度毎に予め用意されている。
【００５５】
そして、パワー制御部３１は、図６（ａ）のタイミング７１で、校正用光波形に対応するＦＭＤ出力の高パワー側の検出レーザパワー値１９（図２参照）を取得する（ステップＳ１３）。この検出レーザパワー値１９は、パワー制御部３１からシステム制御部３２へ送られる。システム制御部３２は、この検出レーザパワー値１９が目標値（この例ではＰo）と一致したか否かを判定する（ステップＳ１４）。なお、ここでの目標値はある程度の幅を持った値とすることができ、その場合は、検出レーザパワー値１９がその幅の範囲内に入れば、目標値と一致したものと判定する。
【００５６】
ＦＭＤ２１から出力された検出レーザパワー値１９が目標値と一致していない場合、システム制御部３２はパワー制御部３１を制御し、検出レーザパワー値１９が目標値より小さければ電流値を増加させ（ステップＳ１６）、目標値より大きければ電流値を減少させる（ステップＳ１７）。そして、処理はステップＳ１２へ戻り、ステップＳ１２〜Ｓ１４を繰り返す。こうして、サンプルホールド回路により得られた検出レーザパワー値１９が目標値（本例ではＰo）と一致した場合（ステップＳ１４；Yes）、システム制御部３２はそのときにＬＤドライバ１１に供給している電流値を記憶する。
【００５７】
こうして、所望のレーザ光パワー（本例ではＰo）を得るためにＬＤドライバ１１へ供給すべき電流設定値を得ることができる。これは、前述の図５に示したＩ−Ｐ特性上の所望のレーザ光パワー（本例ではＰo）に対応する１つの点を取得したことを意味する。よって、さらに他の所望のレーザ光パワーについても同様の手法により、対応する電流設定値を取得する。図３に示した光波形で光ディスクに情報の記録を行う場合、図７に示したパワーキャリブレーション処理を当該光波形を構成するレーザ光パワーＰo及びＰmに対して行い、レーザ光パワーＰo及びＰmに対応する電流設定値をそれぞれ取得すればよい。例えば、レーザ光パワーＰoに対応するＬＤ１３への電流設定値がＩo、レーザ光パワーＰmに対応するＬＤ１３への電流設定値がＩmと得られた場合、実際の記録時には、図３に示す光波形において、トップパルス２０１及びラストパルス２０３の期間にはＬＤドライバ１１に対して電流Ｉoを供給し、中間パルス部２０２の期間にはＬＤドライバ１１に対して電流Ｉmを供給すれば、記録パワー比（Ｐo／Ｐｍ比）を正しく維持して記録を行うことができる。
【００５８】
以上説明したように、本実施例では、光ディスクへの情報記録時に、記録パワー比Ｐo／Ｐmが最適値となるように、レーザ光パワーのキャリブレーションを行う。その際には、出射デューティがＬＤ１３の定格出力値、好ましくは実記録データを記録するときのレーザ光の出射デューティである実質的記録パワーデューティ以内となるように作成された校正用光波形を用いてＬＤ１３を駆動して試し出射を行うので、ＬＤ１３の定格出力値などに適合した条件で安全かつ安定的にキャリブレーションを行うことができる。
【００５９】
なお、実際の校正用光波形の出射パターン（波形を構成する時間幅）は、実記録時との差異をなくすために、実データ長（例えば３Ｔ〜１１Ｔ、１４Ｔ）の中から選択される。具体的な選択において、出射デューティの小さい校正用光波形を作成するためには、なるべく短いデータ長を選択することが好ましいのであるが、短いデータ長ほど時間幅が短い（特に高倍速記録においては）ので、サンプルホールドの精度が低下する可能性が高くなる。よって、実際には、サンプルホールドの精度が確保できる範囲内で短いデータ長を用いることにより、所望の出射デューティを有する校正用光波形を作成することができる。例えば、ＤＶＤの１６倍記録の場合は図６（ａ）に示す「１１ＴＭ−１４ＴＳ−３ＴＭ−１４ＴＳ」の出射パターンを使用し、１２倍記録の場合は「９ＴＭ−１４ＴＳ−３ＴＭ−１４ＴＳ」の出射パターンを使用することができる。
【００６０】
［変形例］
上記の実施例では、パワー制御部３１に設けられるサンプルホールド回路により、図６（ａ）に示すように校正用光波形の高パワー側の期間７１のＦＭＤ出力値を検出レーザパワー値１９として検出しているが、サンプルホールド回路の代わりに、例えばピークホールド回路などを使用して検出レーザパワー値１９を取得することとしてもよい。
【００６１】
上述の実施例では、情報記録媒体の一例として光ディスク２及び情報記録装置の一例として光ディスク２に係るレコーダについて説明したが、本発明は、光ディスク及びそのレコーダに限られるものではなく、他の高密度記録或いは高転送レート対応の各種情報記録媒体並びにそのレコーダにも適用可能である。
【００６２】
【産業上の利用可能性】
本発明は、ＤＶＤ−Ｒ／ＲＷ、ＤＶＤ＋Ｒ／ＲＷ、ブルーレイ（Blu-ray）ディスク、ＡＯＤ（Advanced Optical Disc）、ＣＤ−Ｒ／ＲＷなどの光ディスクにおける情報記録に利用することができる。
【００６３】
【図面の簡単な説明】
【図１】  本発明に係る情報記録装置の主要構成を概略的に示すブロック図である。
【図２】  実施例に係る情報記録装置の構成を示すブロック図である。
【図３】  情報記録のための光波形の例、及び、歪み率の定義を説明する図である。
【図４】  記録パワー比（Ｐo／Ｐm比）と、ジッタ、アシンメトリ、変調度及び歪み率との関係を示すグラフである。
【図５】  ＬＤドライバへの電流設定値とレーザ光パワーとの関係を示すグラフである。
【図６】  校正用光波形の例を示す波形図である。
【図７】  パワーキャリブレーション処理のフローチャートである。
【００６４】
【符号の説明】
１、１０  情報記録装置
２  光ディスク
３  スピンドルモータ
６  サーボ制御部
１０  ピックアップ
１１  ＬＤドライバ
１３  ＬＤ
２１  ＦＭＤ
３１  記録パワー検出部
３２  システム制御部
３４  記憶部
【図１】
0004564960.tif 000002
【図２】
0004564960.tif 000003
【図３】
0004564960.tif 000004
【図４】
0004564960.tif 000005
【図５】
0004564960.tif 000006
【図６】
0004564960.tif 000007
【図７】
0004564960.tif 000008